(57)【要約】【課題】ロックが強固で、ワンタッチで再封できる外箱と内箱からなる再封性を有する紙製容器を提供すること。【解決手段】４コーナー貼り形式の外箱（２）の蓋部（５）の隅角に、側板（１３２）のみの部分と、側板に蓋部舌片（１２２，１４２）を貼着した部分とを設け、両者の厚みの差による段部（６）に、天面が開放された内箱（３）の内箱側板（２５）に谷折りされた折り返し舌片（２５１）の隅角をはめ込み、ロック機構とする。【選択図】図１
2008260562.tif 000002
【特許請求の範囲】
【請求項１】
矩形をした天板に形成された折り曲げ線と該折り曲げ線の先端と末端から各側板を斜めに横断して側板の一方の隅角近傍に達する破断線とにより区画される胴部と蓋部を有し、蓋部がヒンジ式に開閉可能な外箱と、
内箱底板の各辺端縁から内箱側板が立設され、各内箱側板は内箱舌片により貼着され、上面が開放された４コーナー貼り形式からなる外箱の中に収納される内箱と、から構成される紙製容器において、
前記外箱の蓋部を形成する両隅角は、天板に形成された折り曲げ線と平行に設けられた側板の両端と、破断線が設けられた二つの側板の端縁に連設された蓋部舌片とが貼着されてなり、
前記内箱の蓋部が密接する方の側板の端縁には、谷折り線を介して折り返し舌片が連設され、
前記蓋部にはこれを被せた再封止時に、蓋部の両隅角を形成する側板と蓋部舌片の間に、内箱の折り返し舌片の両隅と係合する段部が設けられていることを特徴とする再封性を有する紙製容器。
【請求項２】
前記外箱の蓋部を形成する側板の略中央に破断線により貼着部が区画形成されていることを特徴とする、請求項１記載の再封性を有する紙製容器。
【請求項３】
前記外箱の胴部には、窓孔が設けられていることを特徴とする、請求項１又は２記載の再封性を有する紙製容器。
【発明の詳細な説明】
【技術分野】
【０００１】
本発明は、チョコレート、菓子などを収容する内箱と外箱からなる紙製容器に関し、特には、外箱の蓋部を開封後、内容物が収容された内箱をスライドして内容物を取り出した後、再び、内箱をスライドして外箱に収め、開口した蓋部をロック機構を用いてワンタッチで再封止する、ワンタッチで再封可能なロック機構を用いた再封性を有する紙製容器に関する。
【背景技術】
【０００２】
従来、チョコレート、菓子などを収容する紙製容器は、内容物が消費し尽くされるまでの間、一時的に蓋を施すなどして再封することができるようにしたものが多い。この種の再封機能を有する紙製容器のうちで、容器の一部を再封時のヒンジ蓋として機能させるものとしては、例えば、図５、図６に示すような、一枚のブランクで構成され、正面板（３１０）から両側面板（３１２、３１４）にかけて形成したミシン目（３７２）によって互いに区分される蓋部（３７６ａ）と胴部（３７６ｂ）とを有し背面板（３１６）を折り曲げて蓋部を仰開できるようにした容器本体と、背面板（３１６）の一端部から連接して設けられ蓋部の開閉時に開口部から上部を突出するよう上記正面板及び両側面板の内壁に沿って形成される両内側面板（３３４、３３８）、内正面板（３３６）よりなり、上記内正面板に横方向に少なくとも一本の罫線（３６９）を、両内側面板との境界線まで形成した容器が知られている（例えば、特許文献１参照）。
【０００３】
上記先行技術文献を示す。
【特許文献１】実用新案登録第３０６９２２１号公報。
【発明の開示】
【発明が解決しようとする課題】
【０００４】
しかし、この容器においては再封する際に、ロックが充分にされないという問題がある。
【０００５】
本発明は、上方開口を有する箱本体と、この開口の一辺に折線を介して連設された蓋と、から構成され、箱本体と蓋とがロック機構により再封される紙製容器に関する以上のような問題に鑑みてなされたもので、ロックが強固でワンタッチで再封できる再封性を有する紙製容器を提供することを課題とする。
【課題を解決するための手段】
【０００６】
本発明の請求項１の発明は、矩形をした天板に形成された折り曲げ線と該折り曲げ線の先端と末端から各側板を斜めに横断して側板の一方の隅角近傍に達する破断線とにより区画される胴部と蓋部を有し、蓋部がヒンジ式に開閉可能な外箱と、
内箱底板の各辺端縁から内箱側板が立設され、各内箱側板は内箱舌片により貼着され、上面が開放された４コーナー貼り形式からなる外箱の中に収納される内箱と、から構成される紙製容器において、
前記外箱の蓋部を形成する両隅角は、天板に形成された折り曲げ線と平行に設けられた側板の両端と、破断線が設けられた二つの側板の端縁に連設された蓋部舌片とが貼着されてなり、
前記内箱の蓋部が密接する方の側板の端縁には、谷折り線を介して折り返し舌片が連設され、
前記蓋部にはこれを被せた再封止時に、蓋部の両隅角を形成する側板と蓋部舌片の間に
、内箱の折り返し舌片の両隅と係合する段部が設けられていることを特徴とする再封性を有する紙製容器である。
【０００７】
このように請求項１記載の発明によれば、外箱の蓋部を形成する両隅角は、天板に形成された折り曲げ線と平行に設けられた側板の両端と、破断線が設けられた二つの側板の端縁に連設された蓋部舌片とが貼着されてなり、前記内箱の蓋部が密接する方の側板の端縁には、谷折り線を介して折り返し舌片が連設され、前記蓋部にはこれを被せた再封止時に、蓋部の両隅角を形成する側板と蓋部舌片の間に、内箱の折り返し舌片の両隅と係合する段部が設けられているので、折り返し舌片が、側板と蓋部舌片の間の段部にはまってロックがかかり蓋部は強固に再封止され、外れることはない。蓋部を折り曲げ線に沿って持ち上げるようにするとロックが外れて蓋部は再び開口する。
【０００８】
また、請求項２の発明は、請求項１の発明において、前記外箱の蓋部を形成する側板の略中央に破断線により貼着部が区画形成されていることを特徴とする、再封性を有する紙製容器である。
【０００９】
このように請求項２の発明によれば、外箱の蓋部を形成する側板の略中央に破断線により貼着部が区画形成されているので、貼着部は破断線に沿って蓋部から分離して蓋部を持ち上げると蓋部は容易に開口することができる。
【００１０】
また、請求項３の発明は、請求項１又は２の発明において、前記外箱の胴部には窓孔が設けられていることを特徴とする、再封性を有する紙製容器である。
【００１１】
このように請求項３記載の発明によれば、外箱の胴部には、窓孔が設けられているので、内箱をスライドさせることなく、常に収容物の残量を目視確認できる。
【発明の効果】
【００１２】
このように本発明の再封性を有する紙製容器は、再封時のロック構造に工夫を凝らしてあり、閉めた時カチッと音又は感覚で確認でき、安心感が与えられる。ワンタッチで開封でき、ワンタッチで再封できる。充填機、封緘機も量産に支障は少ない。
【発明を実施するための最良の形態】
【００１３】
本発明を一実施形態に基づいて以下に詳細に説明する。
本発明の再封性を有する紙製容器（１）は、例えば、図１（ａ）、（ｂ）、図２（ａ）、（ｂ）に示すように、矩形をした天板（１３）に形成された折り曲げ線（ａ）と、該折り曲げ線の先端と末端から各側板を斜めに横断して側板の一方の隅角近傍に達する破断線（ｂ）とにより区画される胴部（４）と蓋部（５）を有し、蓋部（５）がヒンジ式に開閉可能な外箱（２）と、内箱底板（２１）の各辺端縁から内箱側板が立設され、各内箱側板は内箱舌片により貼着され、上面が開放された４コーナー貼り形式からなる、外箱の中に収納される内箱（３）とから構成され、蓋部の再封がロック機構により保持されるものである。
【００１４】
そして、本発明の再封性を有する紙製容器（１）は、例えば、図３（ａ）、（ｂ）に示すような外箱と内箱のブランクシートを組み立ててなる。先ず、図３（ａ）に示す外箱のブランクシート（１０）を説明する。
【００１５】
糊代片（１１）、側板（１２）、天板（１３）、側板（１４）、底板（１５）が折り曲げ線を介して順次連設されている。
【００１６】
側板（１２、１４）の両端で胴部を構成する側には胴部舌片（１２１、１４１）が、ま
た、蓋部を構成する側には蓋部舌片（１２２、１４２）がそれぞれ連設されている。天板（１３）の両端にはそれぞれ側板（１３１、１３２）が連設されている。底板（１５）の一方の端には側板（１５１）が連設されている。
【００１７】
天板（１３）には横方向の折り曲げ線（ａ）が形成されている。天板（１３）の両端縁から折り曲げ線を介して連設されているそれぞれの側板（１２、１４）には、天板に形成された折り曲げ線（ａ）から連続して側板を横断して底板（１５）の隅角近傍にまで達する破断線（ｂ）が形成されている。
【００１８】
そして、外箱（２）に組み立てた際には、図３（ａ）において、糊代片（１１）、破断線（ｂ）より上側の側板（１２）と胴部舌片（１２１）、折り曲げ線（ａ）より上側の天板（１３）と側板（１３１）、破断線（ｂ）より上側の側板（１４）と胴部舌片（１４１）、底板（１５）と側板（１５１）の部分が胴部（４）を構成している。
【００１９】
また、破断線（ｂ）より下側の側板（１２）と蓋部舌片（１２２）、折り曲げ線（ａ）より下側の天板（１３）と側板（１３２）、破断線（ｂ）より下側の側板（１４）と蓋部舌片（１４２）の部分が蓋部（５）を構成している。
【００２０】
蓋部（５）を構成している側板（１３２）の両端に対向するようにして形成されている蓋部舌片（１２２、１４２）の側板（１３２）寄りには、それぞれ切り欠き（Ｋ、Ｋ）が設けられている。この切り欠き（Ｋ、Ｋ）は、蓋部（５）に組み立てた際、側板（１３２）と蓋部舌片（１２２、１４２）の間に段部（６）を形成するためのものである。
【００２１】
外箱と内箱に組み立てた後、内箱を外箱に挿入して蓋部を再封した際、内箱に設けられた折り返し舌片（２５１）の両隅角が外箱の蓋部に設けられた段部（６）にきちっと係合するように、蓋部舌片（１２２、１４２）の切り欠き（Ｋ、Ｋ）と、後記する内箱の折り返し舌片（２５１）の形状を考慮する必要がある。
【００２２】
蓋部（５）を構成している側板（１３２）の略中央に破断線（ｃ）により貼着部（１３３）を区画形成しても良い。さらに、図３（ａ）に示すように天板（１３）の胴部を構成する部分に窓孔（１３４）を設けても良い。
【００２３】
つぎに、図３（ｂ）に示すような内箱のブランクシート（２０）を説明する。
外箱を形成する天板（１３）と同等かやや小さく、天板と相似形にある内箱底板（２１）の一方の相対向する二辺に折り曲げ線を介して内箱側板（２２）、内箱側板（２３）がそれぞれ連設されている。内箱底板（２１）のもう一方の相対向する二辺に折り曲げ線を介して内箱側板（２４）、内箱側板（２５）がそれぞれ連設されている。図２（ｂ）において上下方向が、内箱を外箱に沿ってスライドさせる方向である。
【００２４】
内箱底板（２１）を介して横方向に相対向する一方の内箱側板（２２）、内箱側板（２３）の両端縁には折り曲げ線を介して内箱舌片（２２１、２２２、２３１、２３２）がそれぞれ連設されている。
なお、この内箱舌片は、図示してないが、内箱底板（２１）を介して横方向に相対向する一方の内箱側板（２２）、内箱側板（２３）の両端縁に設けず、内箱底板（２１）を介して縦方向に相対向するもう一方の内箱側板（２４）、内箱側板（２５）の両端縁に設ける構造としても良い。
【００２５】
内箱底板（２１）を介して縦方向に相対向するもう一方の内箱側板（２４）、内箱側板（２５）の、内箱側板（２４）の端縁には折り曲げ線を介して折り曲げ片（２４１）が連設されている。また、内箱側板（２５）の端縁には谷折り線（ｄ）を介して折り返し舌片
（２５１）が連設されている。
【００２６】
折り返し舌片（２５１）の両方の隅角は、蓋部（５）において段部（６）を構成する蓋部舌片（１２２、１４２）の切り欠き（Ｋ、Ｋ）に容易にはめ込み可能な形状にしておく必要がある。
【００２７】
つぎに、このような構成からなる外箱のブランクシート（１０）及び中箱のブランクシート（２０）から再封性を有する紙製容器（１）にする紙製容器の組み立て方の一例を述べる（図２（ａ）、（ｂ）参照）。
先ず、内箱（３）を組み立てる。すなわち、内箱底板（２１）の四辺に連設されている内箱側板（２２、２３、２４、２５）を折り曲げ、内箱舌片（２２１）の外面と内箱側板（２４）の外面、内箱舌片（２２２）の外面と内箱側板（２５）の外面、内箱舌片（２３１）の外面と内箱側板（２４）の外面、内箱舌片（２３２）の外面と内箱側板（２５）の外面をそれぞれ接着糊等を用いて固着して４コーナー形式の内箱（３）を作製する。折り曲げ片（２４１）は折り曲げ線に沿って山折りし、折り返し舌片（２５１）は谷折り線（ｄ）に沿って谷折りする。
【００２８】
つぎに、外箱（２）を組み立てる。すなわち、先ず、側板（１２）を天板（１３）に沿って折り曲げると同時に、底板（１５）を側板（１４）に沿って折り曲げ、糊代片（１１）の上に底板（１５）を折り重ね、糊代片（１１）の外面と底板（１５）の内面を接着糊等で固着してスリーブ状に形成する。
【００２９】
天板（１３）を上に、底板（１５）を下にしてこのスリーブを起こし、このスリーブに内容物を収納した内箱（３）をスライドさせながら収納する。このとき、内箱の折り返し片（２５１）がある方の側を、外箱（２）の蓋部（５）のある方の側に合わせる。
【００３０】
最後に、胴部舌片（１２１、１４１）を折り曲げ、側板（１５１）を折り曲げ、側板（１３１）を折り曲げ、側板（１３１）の内面と、側板（１５１）の外面を接着糊等で固着し、外箱（２）の片側を密封する。ついで、もう一方の側の蓋部舌片（１２２、１４２）を折り曲げ、側板（１３２）を折り曲げ、蓋部舌片（１２２、１４２）の外面とそれに重なる側板（１３２）の内面を接着糊等で固着する。同時に側板（１３２）に区画形成された貼着部（１３３）の内面とそれに重なる内箱（３）の内箱側板（２５）の外面を接着糊等で固着し、内箱（３）を収納した状態の外箱（２）の組立が終了し、内容物が収納された再封性を有する紙製容器（１）となる。
【００３１】
出来上がった再封性を有する紙製容器（１）の開封および内容物の取り出しは、例えば、つぎのようにして行う（図１（ａ），（ｂ）参照）。すなわち、紙製容器（１）を片方の手で持つなり押さえるなどし、もう一方の手で外箱の貼着部（１３３）を押して、貼着部（１３３）を破断線（ｃ）を介して側板（１３２）から分離する。ついで側板（１３２）部分を押しあげると側板（１２、１４）に形成された破断線（ｂ、ｂ）を介して側板（１２、１４）が二つに分離し、外箱（２）の蓋部（５）が開口して内容物が露出する。内箱（３）を少し前にスライドさせるとさらに内容物は取り出し易くなる。
【００３２】
内容物を取り出した後は、スライドさせた内箱（３）を外箱（２）に押し込んでから、再び折り曲げ線（ａ）を支軸として蓋部（５）を外箱（２）に被せると、内箱に形成された折り返し舌片（２５１）の両方の隅角が、外箱の蓋部（５）の側板（１３２）と蓋部舌片（１２２、１４２）に設けられた切り欠き（Ｋ、Ｋ）によって形成される段部（６）にはめ込まれて、蓋部（５）はカチッと止まり、再封止される（図４参照）。
蓋部（５）を開けようとしても谷折りした折り返し舌片（２５１）と段部（６）とがロック状態を維持しているので簡単に蓋部（５）が開口することはない。
【００３３】
再び内容物を取り出すに際しては、折り曲げ線（ａ）を支軸として蓋部（５）を外箱（２）から引き離すように強く力を入れると、内箱に形成された折り返し片（２５１）が蓋部の隅角に形成された段部（６）から外れて蓋部（５）は開き、紙製容器（１）は再開口され内容物を簡単に取り出すことができるようになる。
【図面の簡単な説明】
【００３４】
【図１】本発明の再封性を有する紙製容器の一実施例を示す、（ａ）は開封前の状態の斜視説明図であり、（ｂ）は開封した後の内箱を少し前にスライドさせた状態を示す、斜視説明図である。
【図２】本発明の再封性を有する紙製容器を構成する（ａ）は、外箱の一実施例を示す斜視説明図であり、（ｂ）は内箱の一実施例を示す斜視説明図である。
【図３】（ａ）は図２（ａ）の展開平面説明図であり、（ｂ）は、図２（ｂ）の展開平面説明図である。
【図４】外箱の蓋部の隅角と内箱の折り返し舌片の隅角の（ａ）ロックがかかった状態を示す説明図であり、（ｂ）ロックを解除した状態を示す説明図である。
【図５】従来の再封性を有する紙製容器の一例を示す展開説明図である。
【図６】図５の紙製容器の組み立て状態を示す斜視説明図である。
【符号の説明】
【００３５】
１‥‥紙製容器
２‥‥外箱
３‥‥内箱
４‥‥胴部
５‥‥蓋部
６‥‥段部
１０‥‥外箱のブランクシート
１１‥‥糊代片
１２‥‥側板
１３‥‥天板
１４‥‥側板
１５‥‥底板
１２１‥‥胴部舌片
１２２‥‥蓋部舌片
１３１‥‥側板
１３２‥‥側板
１３３‥‥貼着部
１３４‥‥窓孔
１４１‥‥胴部舌片
１４２‥‥蓋部舌片
１５１‥‥側板
２０‥‥内箱のブランクシート
２１‥‥内箱底板
２２‥‥内箱側板
２３‥‥内箱側板
２４‥‥内箱側板
２５‥‥内側側板
２２１‥‥内箱舌片
２２２‥‥内箱舌片
２３１‥‥内箱舌片
２３２‥‥内箱舌片
２４１‥‥折り曲げ片
２５１‥‥折り返し片
３１０‥‥正面板
３１２‥‥側面板
３１４‥‥側面板
３１６‥‥背面板
３３４‥‥内側面板
３３６‥‥内正面板
３３８‥‥内側面板
３６９‥‥罫線
３７２‥‥ミシン目
３７６ａ‥蓋部
３７６ｂ‥胴部
ａ‥‥折り曲げ線
ｂ‥‥破断線
ｃ‥‥破断線
ｄ‥‥谷折り線
Ｋ‥‥切り欠き
【図１】
2008260562.tif 000003
【図２】
2008260562.tif 000004
【図３】
2008260562.tif 000005
【図４】
2008260562.tif 000006
【図５】
2008260562.tif 000007
【図６】
2008260562.tif 000008